(57)【要約】【課題】本発明はメインフレームを開示した。【解決手段】メインフレーム主体を含み、主動輪を始動して従動輪を連動させて噛み合わせ始め、貯水ブロックの中の水は水排出パイプによってパイプ網の中に輸送され、底出口の中の空気の温度を下げ、モーターを始動して主軸と第二ベベルギヤとを回転連動させ、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができる。【選択図】図１
2020184288.tif 000002
【特許請求の範囲】
【請求項１】
正面視で、メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の右側端面には前記後出口を貫通した第一フィルターが挿入されるように取り付けられ、前記内チャンバの底壁には下方に開口した底出口が設置され、前記メインフレーム主体の右側端面には前記底出口を貫通した第二フィルターが挿入されるように取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置されたことを特徴とするメインフレーム。
【請求項２】
前記風吹付け部品は前記底出口の左右壁の間に位置している上下対称のコンロッドを含み、左右両側の前記コンロッドの間には回転台座が設置され、上下の前記回転台座の間にはファン軸が回転できるように取り付けられ、前記ファン軸には鎖歯車が設置され、前後両側の前記鎖歯車の間にはチェーンが伝動できるように取り付けられ、前記ファン軸には羽根が設置され、前側の前記ファン軸には第一ベベルギヤが設置され、前記底出口の左側壁にはモーターが設置され、前記モーターの右側には主軸が連結され、上下の前記コンロッドの間には二つの軸安定ブロックが設置され、前記軸安定ブロックが前記主軸と回転できるように連結され、前記主軸の右端には第二ベベルギヤが設置され、前記第二ベベルギヤが前記第一ベベルギヤと噛み合っており、前記底出口の内壁の間には第三フィルターが設置され、前記モーターを始動して前記ファン軸と前記鎖歯車とを回転連動させ、前記鎖歯車が前記チェーンと後側の前記ファン軸とを回転連動させ、前記ファン軸が前記羽根を回転連動させて風を吹き付け始めることを特徴とする請求項１に記載のメインフレーム。
【請求項３】
前記温度下げ部品は前記底出口の内壁と前記メインフレームとの中に位置している発泡プラスチックブロックを含み、鉛直の前記発泡プラスチックの中には貯水ブロックが設置され、前記貯水ブロックの左端の中には氷晶ブロックを置くことができ、前記発泡プラスチックブロックの左端にはカバー板がボルトによって取り付けられ、前記貯水ブロックの底端には水排出パイプが連結され、前記水排出パイプが右方へ前記底出口の中に伸びており、且つパイプ網と連結され、前記パイプ網の右端には回流パイプが連結され、前記回流パイプが前記底出口を巻き付けた後に上方へ前記貯水ブロックと連結され、前記水排出パイプにはポンプチャンバが設置され、前記ポンプチャンバの左右壁の間には主動輪が動力が伝達できるように取り付けられ、前記ポンプチャンバの左右壁の間には従動輪が回転できるように取り付けられ、前記従動輪が前記主動輪と噛み合っており、凍結した前記氷晶ブロックを前記貯水ブロックの左端に置き、前記貯水ブロックの中の水は前記氷晶ブロックの温度を吸収した後に温度が下がり、前記カバー板を閉じ、前記主動輪を始動して前記従動輪を連動させて噛み合わせ始め、前記貯水ブロックの中の水は前記水排出パイプによって前記パイプ網の中に輸送され、前記底出口の中の空気の温度を下げ、低い温度の空気が風吹付け部品に上方へ前記内チャンバの中に吹き込まれ、水流が前記回流パイプによって上方へ前記貯水ブロックの中に流れて戻ることを特徴とする請求項１に記載のメインフレーム。
【請求項４】
前記固定部品は前記メインフレーム主体の右側端面に回転できるように取り付けられた回転ピンを含み、前記回転ピンの右側端面にはバックルが設置され、前記メインフレーム主体の右側端面にはバックルブロックがヒンジによって連結され、前記バックルブロックにはバックル溝が設置され、前記バックル溝が前記回転ピンと前記バックルと挿入されるように連結されることができ、ホストを接続する時にデータ線を前記線接続穴によって前記内チャンバの中に伸ばし、前記線接続穴の外側にさらされたデータ線を前記バックルによって一束に収集し、前記回転ピンと前記バックルとに前記バックル溝を通過させた後、前記バックルを九十度回転させ、前記バックルブロックを引っ掛からせることを特徴とする請求項１に記載のメインフレーム。
【請求項５】
前記開閉ドア部品は前記メインフレーム主体の前側端面に位置しており、前記内チャンバと連通した止め板溝を含み、前記止め板溝の底壁には止め板が回転できるように取り付けられ、前記止め板の頂部端面には一つの下スライド溝が設置され、前記止め板溝の頂壁の中には一つの上スライド溝が設置され、前記止め板と前記止め板溝の頂壁との間にはスライドドアがスライドできるように取り付けられ、前記スライドドアの上下端面には対称のスライドブロックが設置され、前記スライドブロックが前記上スライド溝と前記下スライド溝とスライドできるように連結され、右方へ前記スライドドアを引き出し、手を前記内チャンバの中に入れてホストのスイッチをオンにすることを特徴とする請求項１に記載のメインフレーム。
【発明の詳細な説明】
【技術分野】
【０００１】
本発明はコンピューター付属品分野に関わり、具体的にはメインフレームである。
【背景技術】
【０００２】
コンピューターのホストは使用される時に大量の熱を生み出し、夏の時に気温が高いので、ホストの昇温速度が速くて放熱能力が低く、また高性能のゲームホストはますます多くなり、放熱のニーズが高められつつあり、既存の水冷ホストの放熱能力は強いが、長い時間で使用されるとその放熱能力も飽和状態に達し、しかもメインフレームの中に埃を積みやすく、クリーニングが不便である。
【先行技術文献】
【特許文献】
【０００３】
【特許文献１】中国特許出願公開第１０５７３９６４６号明細書
【発明の概要】
【発明が解決しようとする課題】
【０００４】
本発明はメインフレームを提供し、既存技術にある上記欠点を解消することを目的とする。
【課題を解決するための手段】
【０００５】
本発明の実施例のメインフレームは、メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の右側端面には前記後出口を貫通した第一フィルターが挿入されるように取り付けられ、前記内チャンバの底壁には下方に開口した底出口が設置され、前記メインフレーム主体の右側端面には前記底出口を貫通した第二フィルターが挿入されるように取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置された。
【０００６】
さらなる技術プランとして、前記風吹付け部品は前記底出口の左右壁の間に位置している上下対称のコンロッドを含み、左右両側の前記コンロッドの間には回転台座が設置され、上下の前記回転台座の間にはファン軸が回転できるように取り付けられ、前記ファン軸には鎖歯車が設置され、前後両側の前記鎖歯車の間にはチェーンが伝動できるように取り付けられ、前記ファン軸には羽根が設置され、前側の前記ファン軸には第一ベベルギヤが設置され、前記底出口の左側壁にはモーターが設置され、前記モーターの右側には主軸が連結され、上下の前記コンロッドの間には二つの軸安定ブロックが設置され、前記軸安定ブロックが前記主軸と回転できるように連結され、前記主軸の右端には第二ベベルギヤが設置され、前記第二ベベルギヤが前記第一ベベルギヤと噛み合っており、前記底出口の内壁の間には第三フィルターが設置された。
【０００７】
さらなる技術プランとして前記温度下げ部品は前記底出口の内壁と前記メインフレームとの中に位置している発泡プラスチックブロックを含み、鉛直の前記発泡プラスチックの中には貯水ブロックが設置され、前記貯水ブロックの左端の中には氷晶ブロックを置くことができ、前記発泡プラスチックブロックの左端にはカバー板がボルトによって取り付けられ、前記貯水ブロックの底端には水排出パイプが連結され、前記水排出パイプが右方へ前記底出口の中に伸びており、且つパイプ網と連結され、前記パイプ網の右端には回流パイプが連結され、前記回流パイプが前記底出口を巻き付けた後に上方へ前記貯水ブロックと連結され、前記水排出パイプにはポンプチャンバが設置され、前記ポンプチャンバの左右壁の間には主動輪が動力が伝達できるように取り付けられ、前記ポンプチャンバの左右壁の間には従動輪が回転できるように取り付けられ、前記従動輪が前記主動輪と噛み合っている。
【０００８】
さらなる技術プランとして、前記固定部品は前記メインフレーム主体の右側端面に回転できるように取り付けられた回転ピンを含み、前記回転ピンの右側端面にはバックルが設置され、前記メインフレーム主体の右側端面にはバックルブロックがヒンジによって連結され、前記バックルブロックにはバックル溝が設置され、前記バックル溝が前記回転ピンと前記バックルと挿入されるように連結されることができる。
【０００９】
さらなる技術プランとして、前記開閉ドア部品は前記メインフレーム主体の前側端面に位置しており、前記内チャンバと連通した止め板溝を含み、前記止め板溝の底壁には止め板が回転できるように取り付けられ、前記止め板の頂部端面には一つの下スライド溝が設置され、前記止め板溝の頂壁の中には一つの上スライド溝が設置され、前記止め板と前記止め板溝の頂壁との間にはスライドドアがスライドできるように取り付けられ、前記スライドドアの上下端面には対称のスライドブロックが設置され、前記スライドブロックが前記上スライド溝と前記下スライド溝とスライドできるように連結された。
【発明の効果】
【００１０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【図面の簡単な説明】
【００１１】
下記に図１〜９をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の全体構成概略図
【図２】図２は本発明の前側構成概略図
【図３】図３は図１の中のＡ―Ａ方向の断面構成概略図
【図４】図４は図１の中のＢのところの拡大概略図
【図５】図５は図１の中のＣ―Ｃ方向の断面構成概略図
【図６】図６は図１の中のＤ―Ｄ方向の断面構成概略図
【図７】図７は図２の中のＥ―Ｅ方向の断面構成概略図
【図８】図８は図４の中のＦ―Ｆ方向の断面構成概略図
【図９】図９はバックルブロックの構成概略図
【発明を実施するための形態】
【００１３】
図１〜９を参照し、本発明の実施例のメインフレームは、メインフレーム主体１０を含み、前記メインフレーム主体１０の中には前方に開口した内チャンバ１１が設置され、前記内チャンバ１１の中にはホストが置かれており、前記内チャンバ１１の後側壁には後方に開口した後出口１２が設置され、前記メインフレーム主体１０の右側端面には前記後出口１２を貫通した第一フィルター５０が挿入されるように取り付けられ、前記内チャンバ１１の底壁には下方に開口した底出口３４が設置され、前記メインフレーム主体１０の右側端面には前記底出口３４を貫通した第二フィルター２５が挿入されるように取り付けられ、前記底出口３４の中には上方に風を吹き付ける風吹付け部品９０１が設置され、前記底出口３４と前記メインフレーム主体１０との間には前記風吹付け部品９０１によって吹かれる風の温度を下げる温度下げ部品９０２が設置され、前記内チャンバ１１の右側壁には右方に開口した線接続穴２１が設置され、前記線接続穴２１のところにはホストと通電できるように連結されるデータ線を入れることができ、前記メインフレーム主体１０の右側端面にはデータ線を固定する固定部品９０３が設置され、前記メインフレーム主体１０の前端には前記内チャンバ１１を封鎖し、且つホストを始動することに便利を与える開閉ドア部品９０４が設置された。
【００１４】
前記風吹付け部品９０１は前記底出口３４の左右壁の間に位置している上下対称のコンロッド３６を含み、左右両側の前記コンロッド３６の間には回転台座４０が設置され、上下の前記回転台座４０の間にはファン軸４２が回転できるように取り付けられ、前記ファン軸４２には鎖歯車４４が設置され、前後両側の前記鎖歯車４４の間にはチェーン４５が伝動できるように取り付けられ、前記ファン軸４２には羽根４６が設置され、前側の前記ファン軸４２には第一ベベルギヤ４３が設置され、前記底出口３４の左側壁にはモーター３７が設置され、前記モーター３７の右側には主軸３９が連結され、上下の前記コンロッド３６の間には二つの軸安定ブロック３８が設置され、前記軸安定ブロック３８が前記主軸３９と回転できるように連結され、前記主軸３９の右端には第二ベベルギヤ４１が設置され、前記第二ベベルギヤ４１が前記第一ベベルギヤ４３と噛み合っており、前記底出口３４の内壁の間には第三フィルター３５が設置され、モーター３７を始動してファン軸４２と鎖歯車４４とを回転連動させ、鎖歯車４４がチェーン４５と後側のファン軸４２とを回転連動させ、ファン軸４２が羽根４６を回転連動させて風を吹き付け始める。
【００１５】
前記温度下げ部品９０２は前記底出口３４の内壁と前記メインフレーム１０との中に位置している発泡プラスチックブロック１８を含み、鉛直の前記発泡プラスチック１８の中には貯水ブロック１５が設置され、前記貯水ブロック１５の左端の中には氷晶ブロック１４を置くことができ、前記発泡プラスチックブロック１８の左端にはカバー板１６がボルトによって取り付けられ、前記貯水ブロック１５の底端には水排出パイプ２０が連結され、前記水排出パイプ２０が右方へ前記底出口３４の中に伸びており、且つパイプ網３３と連結され、前記パイプ網３３の右端には回流パイプ１９が連結され、前記回流パイプ１９が前記底出口３４を巻き付けた後に上方へ前記貯水ブロック１５と連結され、前記水排出パイプ２０にはポンプチャンバ１７が設置され、前記ポンプチャンバ１７の左右壁の間には主動輪４７が動力が伝達できるように取り付けられ、前記ポンプチャンバ１７の左右壁の間には従動輪４８が回転できるように取り付けられ、前記従動輪４８が前記主動輪４７と噛み合っており、凍結した氷晶ブロック１４を貯水ブロック１５の左端に置き、貯水ブロック１５の中の水は氷晶ブロック１４の温度を吸収した後に温度が下がり、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、低い温度の空気が風吹付け部品９０１に上方へ内チャンバ１１の中に吹き込まれ、水流が回流パイプ１９によって上方へ貯水ブロック１５の中に流れて戻る。
【００１６】
前記固定部品９０３は前記メインフレーム主体１０の右側端面に回転できるように取り付けられた回転ピン２２を含み、前記回転ピン２２の右側端面にはバックル２３が設置され、前記メインフレーム主体１０の右側端面にはバックルブロック５２がヒンジによって連結され、前記バックルブロック５２にはバックル溝５３が設置され、前記バックル溝５３が前記回転ピン２２と前記バックル２３と挿入されるように連結されることができ、ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１７】
前記開閉ドア部品９０４は前記メインフレーム主体１０の前側端面に位置しており、前記内チャンバ１１と連通した止め板溝５１を含み、前記止め板溝５１の底壁には止め板３２が回転できるように取り付けられ、前記止め板３２の頂部端面には一つの下スライド溝３１が設置され、前記止め板溝５１の頂壁の中には一つの上スライド溝２６が設置され、前記止め板３２と前記止め板溝５１の頂壁との間にはスライドドア３０がスライドできるように取り付けられ、前記スライドドア３０の上下端面には対称のスライドブロック２８が設置され、前記スライドブロック２８が前記上スライド溝２６と前記下スライド溝３１とスライドできるように連結され、右方へスライドドア３０を引き出し、手を内チャンバ１１の中に入れてホストのスイッチをオンにする。
【００１８】
ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１９】
使用の時、右方へスライドドア３０を引き出し、手を内チャンバ１１の中に入れてホストのスイッチをオンにし、凍結した氷晶ブロック１４を貯水ブロック１５の左端に置き、貯水ブロック１５の中の水は氷晶ブロック１４の温度を吸収した後に温度が下がり始め、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、モーター３７を始動して主軸３９と第二ベベルギヤ４１とを回転連動させ、第二ベベルギヤ４１が噛み合いによって第一ベベルギヤ４３と、ファン軸４２と、鎖歯車４４とを回転連動させ、鎖歯車４４がチェーン４５と後側のファン軸４２とを回転連動させ、ファン軸４２が羽根４６を回転連動させて風を吹き付け始め、空気が第二フィルター２５によってろ過された後に上方へ内チャンバ１１の中に入り、低い温度の空気が風吹付け部品９０１に上方へ内チャンバ１１の中に吹き込まれ、ホストの放熱能力を強め、水流が回流パイプ１９によって上方へ貯水ブロック１５の中に流れて戻る。
【００２０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020184288.tif 000003
【図２】
2020184288.tif 000004
【図３】
2020184288.tif 000005
【図４】
2020184288.tif 000006
【図５】
2020184288.tif 000007
【図６】
2020184288.tif 000008
【図７】
2020184288.tif 000009
【図８】
2020184288.tif 000010
【図９】
2020184288.tif 000011
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の右側端面には第一フィルターが取り付けられ、前記内チャンバの底壁には下方に開口した底出口が設置され、前記メインフレーム主体の右側端面には第二フィルターが取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置されたことを特徴とするメインフレーム。
【請求項２】
前記風吹付け部品は前記底出口の左右壁の間に位置している上下対称のコンロッドを含み、左右両側の前記コンロッドの間には回転台座が設置され、上下の前記回転台座の間にはファン軸が回転できるように取り付けられ、前記ファン軸には鎖歯車が設置され、前後両側の前記鎖歯車の間にはチェーンが取り付けられ、前記ファン軸には羽根が設置され、前側の前記ファン軸には第一ベベルギヤが設置され、前記底出口の左側壁にはモーターが設置され、前記モーターの右側には主軸が連結され、上下の前記コンロッドの間には二つの軸安定ブロックが設置され、前記軸安定ブロックが前記主軸と回転できるように連結され、前記主軸の右端には第二ベベルギヤが設置され、前記第二ベベルギヤが前記第一ベベルギヤと噛み合っており、前記底出口の内壁の間には第三フィルターが設置され、前記モーターを始動して前記ファン軸と前記鎖歯車とを回転連動させ、前記鎖歯車が前記チェーンと後側の前記ファン軸とを回転連動させ、前記ファン軸が前記羽根を回転連動させて風を吹き付け始めることを特徴とする請求項１に記載のメインフレーム。
【請求項３】
前記温度下げ部品は前記底出口の内壁と前記メインフレームとの中に位置している発泡プラスチックブロックを含み、鉛直の前記発泡プラスチックブロックの中には貯水ブロックが設置され、前記貯水ブロックの左端の中には氷晶ブロックを置くことができ、前記発泡プラスチックブロックの左端にはカバー板がボルトによって取り付けられ、前記貯水ブロックの底端には水排出パイプが連結され、前記水排出パイプの右側が前記底出口の中に伸びており、且つパイプ網と連結され、前記パイプ網の右端には回流パイプが連結され、前記回流パイプが前記底出口を巻き付けた後に上方へ前記貯水ブロックと連結され、前記水排出パイプにはポンプチャンバが設置され、前記ポンプチャンバの左右壁の間には主動輪が動力が伝達できるように取り付けられ、前記ポンプチャンバの左右壁の間には従動輪が回転できるように取り付けられ、前記従動輪が前記主動輪と噛み合っており、凍結した前記氷晶ブロックを前記貯水ブロックの左端に置き、前記貯水ブロックの中の水は前記氷晶ブロックの温度を吸収した後に温度が下がり、前記カバー板を閉じ、前記主動輪を始動して前記従動輪を連動させて噛み合わせ始め、前記貯水ブロックの中の水は前記水排出パイプによって前記パイプ網の中に輸送され、前記底出口の中の空気の温度を下げ、低い温度の空気が風吹付け部品に上方へ前記内チャンバの中に吹き込まれ、水流が前記回流パイプによって上方へ前記貯水ブロックの中に流れて戻ることを特徴とする請求項１に記載のメインフレーム。
【請求項４】
前記固定部品は前記メインフレーム主体の右側端面に回転できるように取り付けられた回転ピンを含み、前記回転ピンの右側端面にはバックルが設置され、前記メインフレーム主体の右側端面にはバックルブロックがヒンジによって連結され、前記バックルブロックにはバックル溝が設置され、前記バックル溝が前記回転ピンと前記バックルと挿入されるように連結されることができ、ホストを接続する時にデータ線を前記線接続穴によって前記内チャンバの中に伸ばし、前記線接続穴の外側にさらされたデータ線を前記バックルによって一束に収集し、前記回転ピンと前記バックルとに前記バックル溝を通過させた後、前記バックルを九十度回転させ、前記バックルブロックを引っ掛からせることを特徴とする請求項１に記載のメインフレーム。
【請求項５】
前記開閉ドア部品は前記メインフレーム主体の前側端面に位置しており、前記内チャンバと連通した止め板溝を含み、前記止め板溝の底壁には止め板が回転できるように取り付けられ、前記止め板の頂部端面には一つの下スライド溝が設置され、前記止め板溝の頂壁の中には一つの上スライド溝が設置され、前記止め板と前記止め板溝の頂壁との間にはスライドドアがスライドできるように取り付けられ、前記スライドドアの上下端面には対称のスライドブロックが設置され、前記スライドブロックが前記上スライド溝と前記下スライド溝とスライドできるように連結され、右方へ前記スライドドアを引き出し、手を前記内チャンバの中に入れてホストのスイッチをオンにすることを特徴とする請求項１に記載のメインフレーム。
【手続補正２】
【補正対象書類名】明細書
【補正対象項目名】全文
【補正方法】変更
【補正の内容】
【発明の詳細な説明】
【技術分野】
【０００１】
本発明はコンピューター付属品分野に関わり、具体的にはメインフレームである。
【背景技術】
【０００２】
コンピューターのホストは使用される時に大量の熱を生み出し、夏の時に気温が高いので、ホストの昇温速度が速くて放熱能力が低く、また高性能のゲームホストはますます多くなり、放熱のニーズが高められつつあり、既存の水冷ホストの放熱能力は強いが、長い時間で使用されるとその放熱能力も飽和状態に達し、しかもメインフレームの中に埃を積みやすく、クリーニングが不便である。
【先行技術文献】
【特許文献】
【０００３】
【特許文献１】中国特許出願公開第１０５７３９６４６号明細書
【発明の概要】
【発明が解決しようとする課題】
【０００４】
本発明はメインフレームを提供し、既存技術にある上記欠点を解消することを目的とする。
【課題を解決するための手段】
【０００５】
本発明の実施例のメインフレームは、メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の右側端面には第一フィルターが取り付けられ、前記内チャンバの底壁には下方に開口した底出口が設置され、前記メインフレーム主体の右側端面には第二フィルターが取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置された。
【０００６】
さらなる技術プランとして、前記風吹付け部品は前記底出口の左右壁の間に位置している上下対称のコンロッドを含み、左右両側の前記コンロッドの間には回転台座が設置され、上下の前記回転台座の間にはファン軸が回転できるように取り付けられ、前記ファン軸には鎖歯車が設置され、前後両側の前記鎖歯車の間にはチェーンが取り付けられ、前記ファン軸には羽根が設置され、前側の前記ファン軸には第一ベベルギヤが設置され、前記底出口の左側壁にはモーターが設置され、前記モーターの右側には主軸が連結され、上下の前記コンロッドの間には二つの軸安定ブロックが設置され、前記軸安定ブロックが前記主軸と回転できるように連結され、前記主軸の右端には第二ベベルギヤが設置され、前記第二ベベルギヤが前記第一ベベルギヤと噛み合っており、前記底出口の内壁の間には第三フィルターが設置された。
【０００７】
さらなる技術プランとして前記温度下げ部品は前記底出口の内壁と前記メインフレームとの中に位置している発泡プラスチックブロックを含み、鉛直の前記発泡プラスチックブロックの中には貯水ブロックが設置され、前記貯水ブロックの左端の中には氷晶ブロックを置くことができ、前記発泡プラスチックブロックの左端にはカバー板がボルトによって取り付けられ、前記貯水ブロックの底端には水排出パイプが連結され、前記水排出パイプの右側が前記底出口の中に伸びており、且つパイプ網と連結され、前記パイプ網の右端には回流パイプが連結され、前記回流パイプが前記底出口を巻き付けた後に上方へ前記貯水ブロックと連結され、前記水排出パイプにはポンプチャンバが設置され、前記ポンプチャンバの左右壁の間には主動輪が動力が伝達できるように取り付けられ、前記ポンプチャンバの左右壁の間には従動輪が回転できるように取り付けられ、前記従動輪が前記主動輪と噛み合っている。
【０００８】
さらなる技術プランとして、前記固定部品は前記メインフレーム主体の右側端面に回転できるように取り付けられた回転ピンを含み、前記回転ピンの右側端面にはバックルが設置され、前記メインフレーム主体の右側端面にはバックルブロックがヒンジによって連結され、前記バックルブロックにはバックル溝が設置され、前記バックル溝が前記回転ピンと前記バックルと挿入されるように連結されることができる。
【０００９】
さらなる技術プランとして、前記開閉ドア部品は前記メインフレーム主体の前側端面に位置しており、前記内チャンバと連通した止め板溝を含み、前記止め板溝の底壁には止め板が回転できるように取り付けられ、前記止め板の頂部端面には一つの下スライド溝が設置され、前記止め板溝の頂壁の中には一つの上スライド溝が設置され、前記止め板と前記止め板溝の頂壁との間にはスライドドアがスライドできるように取り付けられ、前記スライドドアの上下端面には対称のスライドブロックが設置され、前記スライドブロックが前記上スライド溝と前記下スライド溝とスライドできるように連結された。
【発明の効果】
【００１０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【図面の簡単な説明】
【００１１】
下記に図１〜９をあわせて本発明について詳しく説明し、本出願に記載された各方向は図１で本発明を見る方向と同じである。
【００１２】
【図１】図１は本発明の全体構成概略図
【図２】図２は本発明の前側構成概略図
【図３】図３は図１の中のＡ―Ａ方向の断面構成概略図
【図４】図４は図１の中のＢのところの拡大概略図
【図５】図５は図１の中のＣ―Ｃ方向の断面構成概略図
【図６】図６は図１の中のＤ―Ｄ方向の断面構成概略図
【図７】図７は図２の中のＥ―Ｅ方向の断面構成概略図
【図８】図８は図４の中のＦ―Ｆ方向の断面構成概略図
【図９】図９はバックルブロックの構成概略図
【発明を実施するための形態】
【００１３】
図１〜９を参照し、本発明の実施例のメインフレームは、メインフレーム主体１０を含み、前記メインフレーム主体１０の中には前方に開口した内チャンバ１１が設置され、前記内チャンバ１１の中にはホストが置かれており、前記内チャンバ１１の後側壁には後方に開口した後出口１２が設置され、前記メインフレーム主体１０の右側端面には第一フィルター５０が取り付けられ、前記内チャンバ１１の底壁には下方に開口した底出口３４が設置され、前記メインフレーム主体１０の右側端面には第二フィルター２５が取り付けられ、前記底出口３４の中には上方に風を吹き付ける風吹付け部品９０１が設置され、前記底出口３４と前記メインフレーム主体１０との間には前記風吹付け部品９０１によって吹かれる風の温度を下げる温度下げ部品９０２が設置され、前記内チャンバ１１の右側壁には右方に開口した線接続穴２１が設置され、前記線接続穴２１のところにはホストと通電できるように連結されるデータ線を入れることができ、前記メインフレーム主体１０の右側端面にはデータ線を固定する固定部品９０３が設置され、前記メインフレーム主体１０の前端には前記内チャンバ１１を封鎖し、且つホストを始動することに便利を与える開閉ドア部品９０４が設置された。
【００１４】
前記風吹付け部品９０１は前記底出口３４の左右壁の間に位置している上下対称のコンロッド３６を含み、左右両側の前記コンロッド３６の間には回転台座４０が設置され、上下の前記回転台座４０の間にはファン軸４２が回転できるように取り付けられ、前記ファン軸４２には鎖歯車４４が設置され、前後両側の前記鎖歯車４４の間にはチェーン４５が取り付けられ、前記ファン軸４２には羽根４６が設置され、前側の前記ファン軸４２には第一ベベルギヤ４３が設置され、前記底出口３４の左側壁にはモーター３７が設置され、前記モーター３７の右側には主軸３９が連結され、上下の前記コンロッド３６の間には二つの軸安定ブロック３８が設置され、前記軸安定ブロック３８が前記主軸３９と回転できるように連結され、前記主軸３９の右端には第二ベベルギヤ４１が設置され、前記第二ベベルギヤ４１が前記第一ベベルギヤ４３と噛み合っており、前記底出口３４の内壁の間には第三フィルター３５が設置され、モーター３７を始動してファン軸４２と鎖歯車４４とを回転連動させ、鎖歯車４４がチェーン４５と後側のファン軸４２とを回転連動させ、ファン軸４２が羽根４６を回転連動させて風を吹き付け始める。
【００１５】
前記温度下げ部品９０２は前記底出口３４の内壁と前記メインフレーム１０との中に位置している発泡プラスチックブロック１８を含み、鉛直の前記発泡プラスチックブロック１８の中には貯水ブロック１５が設置され、前記貯水ブロック１５の左端の中には氷晶ブロック１４を置くことができ、前記発泡プラスチックブロック１８の左端にはカバー板１６がボルトによって取り付けられ、前記貯水ブロック１５の底端には水排出パイプ２０が連結され、前記水排出パイプ２０の右側が前記底出口３４の中に伸びており、且つパイプ網３３と連結され、前記パイプ網３３の右端には回流パイプ１９が連結され、前記回流パイプ１９が前記底出口３４を巻き付けた後に上方へ前記貯水ブロック１５と連結され、前記水排出パイプ２０にはポンプチャンバ１７が設置され、前記ポンプチャンバ１７の左右壁の間には主動輪４７が動力が伝達できるように取り付けられ、前記ポンプチャンバ１７の左右壁の間には従動輪４８が回転できるように取り付けられ、前記従動輪４８が前記主動輪４７と噛み合っており、凍結した氷晶ブロック１４を貯水ブロック１５の左端に置き、貯水ブロック１５の中の水は氷晶ブロック１４の温度を吸収した後に温度が下がり、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、低い温度の空気が風吹付け部品９０１に上方へ内チャンバ１１の中に吹き込まれ、水流が回流パイプ１９によって上方へ貯水ブロック１５の中に流れて戻る。
【００１６】
前記固定部品９０３は前記メインフレーム主体１０の右側端面に回転できるように取り付けられた回転ピン２２を含み、前記回転ピン２２の右側端面にはバックル２３が設置され、前記メインフレーム主体１０の右側端面にはバックルブロック５２がヒンジによって連結され、前記バックルブロック５２にはバックル溝５３が設置され、前記バックル溝５３が前記回転ピン２２と前記バックル２３と挿入されるように連結されることができ、ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１７】
前記開閉ドア部品９０４は前記メインフレーム主体１０の前側端面に位置しており、前記内チャンバ１１と連通した止め板溝５１を含み、前記止め板溝５１の底壁には止め板３２が回転できるように取り付けられ、前記止め板３２の頂部端面には一つの下スライド溝３１が設置され、前記止め板溝５１の頂壁の中には一つの上スライド溝２６が設置され、前記止め板３２と前記止め板溝５１の頂壁との間にはスライドドア３０がスライドできるように取り付けられ、前記スライドドア３０の上下端面には対称のスライドブロック２８が設置され、前記スライドブロック２８が前記上スライド溝２６と前記下スライド溝３１とスライドできるように連結され、右方へスライドドア３０を引き出し、手を内チャンバ１１の中に入れてホストのスイッチをオンにする。
【００１８】
ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１９】
使用の時、右方へスライドドア３０を引き出し、手を内チャンバ１１の中に入れてホストのスイッチをオンにし、凍結した氷晶ブロック１４を貯水ブロック１５の左端に置き、貯水ブロック１５の中の水は氷晶ブロック１４の温度を吸収した後に温度が下がり始め、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、モーター３７を始動して主軸３９と第二ベベルギヤ４１とを回転連動させ、第二ベベルギヤ４１が噛み合いによって第一ベベルギヤ４３と、ファン軸４２と、鎖歯車４４とを回転連動させ、鎖歯車４４がチェーン４５と後側のファン軸４２とを回転連動させ、ファン軸４２が羽根４６を回転連動させて風を吹き付け始め、空気が第二フィルター２５によってろ過された後に上方へ内チャンバ１１の中に入り、低い温度の空気が風吹付け部品９０１に上方へ内チャンバ１１の中に吹き込まれ、ホストの放熱能力を強め、水流が回流パイプ１９によって上方へ貯水ブロック１５の中に流れて戻る。
【００２０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和1年11月8日(2019.11.8)
【手続補正１】
【補正対象書類名】特許請求の範囲
【補正対象項目名】請求項１
【補正方法】変更
【補正の内容】
【請求項１】
正面視で、メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の左側側面には第一フィルターが取り付けられ、前記内チャンバの底壁には下方に開口した底出口が設置され、前記メインフレーム主体の左側側面には第二フィルターが取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置されたことを特徴とするメインフレーム。
【手続補正２】
【補正対象書類名】明細書
【補正対象項目名】全文
【補正方法】変更
【補正の内容】
【発明の詳細な説明】
【技術分野】
【０００１】
本発明はコンピューター付属品分野に関わり、具体的にはメインフレームである。
【背景技術】
【０００２】
コンピューターのホストは使用される時に大量の熱を生み出し、夏の時に気温が高いので、ホストの昇温速度が速くて放熱能力が低く、また高性能のゲームホストはますます多くなり、放熱のニーズが高められつつあり、既存の水冷ホストの放熱能力は強いが、長い時間で使用されるとその放熱能力も飽和状態に達し、しかもメインフレームの中に埃を積みやすく、クリーニングが不便である。
【先行技術文献】
【特許文献】
【０００３】
【特許文献１】中国特許出願公開第１０５７３９６４６号明細書
【発明の概要】
【発明が解決しようとする課題】
【０００４】
本発明はメインフレームを提供し、既存技術にある上記欠点を解消することを目的とする。
【課題を解決するための手段】
【０００５】
本発明の実施例のメインフレームは、正面視で、メインフレーム主体を含み、前記メインフレーム主体の中には前方に開口した内チャンバが設置され、前記内チャンバの中にはホストが置かれており、前記内チャンバの後側壁には後方に開口した後出口が設置され、前記メインフレーム主体の左側側面には第一フィルターが取り付けられ、前記内チャンバの底壁には下方に開口した底出口が設置され、前記メインフレーム主体の左側側面には第二フィルターが取り付けられ、前記底出口の中には上方に風を吹き付ける風吹付け部品が設置され、前記底出口と前記メインフレーム主体との間には前記風吹付け部品によって吹かれる風の温度を下げる温度下げ部品が設置され、前記内チャンバの右側壁には右方に開口した線接続穴が設置され、前記線接続穴のところにはホストと通電できるように連結されるデータ線を入れることができ、前記メインフレーム主体の右側端面にはデータ線を固定する固定部品が設置され、前記メインフレーム主体の前端には前記内チャンバを封鎖し、且つホストを始動することに便利を与える開閉ドア部品が設置された。
【０００６】
さらなる技術プランとして、前記風吹付け部品は前記底出口の左右壁の間に位置している上下対称のコンロッドを含み、左右両側の前記コンロッドの間には回転台座が設置され、上下の前記回転台座の間にはファン軸が回転できるように取り付けられ、前記ファン軸には鎖歯車が設置され、前後両側の前記鎖歯車の間にはチェーンが取り付けられ、前記ファン軸には羽根が設置され、前側の前記ファン軸には第一ベベルギヤが設置され、前記底出口の左側壁にはモーターが設置され、前記モーターの右側には主軸が連結され、上下の前記コンロッドの間には二つの軸安定ブロックが設置され、前記軸安定ブロックが前記主軸と回転できるように連結され、前記主軸の右端には第二ベベルギヤが設置され、前記第二ベベルギヤが前記第一ベベルギヤと噛み合っており、前記底出口の内壁の間には第三フィルターが設置された。
【０００７】
さらなる技術プランとして前記温度下げ部品は前記底出口の内壁と前記メインフレームとの中に位置している発泡プラスチックブロックを含み、鉛直の前記発泡プラスチックブロックの中には貯水ブロックが設置され、前記貯水ブロックの左端の中には氷晶ブロックを置くことができ、前記発泡プラスチックブロックの左端にはカバー板がボルトによって取り付けられ、前記貯水ブロックの底端には水排出パイプが連結され、前記水排出パイプの右側が前記底出口の中に伸びており、且つパイプ網と連結され、前記パイプ網の右端には回流パイプが連結され、前記回流パイプが前記底出口を巻き付けた後に上方へ前記貯水ブロックと連結され、前記水排出パイプにはポンプチャンバが設置され、前記ポンプチャンバの左右壁の間には主動輪が動力が伝達できるように取り付けられ、前記ポンプチャンバの左右壁の間には従動輪が回転できるように取り付けられ、前記従動輪が前記主動輪と噛み合っている。
【０００８】
さらなる技術プランとして、前記固定部品は前記メインフレーム主体の右側端面に回転できるように取り付けられた回転ピンを含み、前記回転ピンの右側端面にはバックルが設置され、前記メインフレーム主体の右側端面にはバックルブロックがヒンジによって連結され、前記バックルブロックにはバックル溝が設置され、前記バックル溝が前記回転ピンと前記バックルと挿入されるように連結されることができる。
【０００９】
さらなる技術プランとして、前記開閉ドア部品は前記メインフレーム主体の前側端面に位置しており、前記内チャンバと連通した止め板溝を含み、前記止め板溝の底壁には止め板が回転できるように取り付けられ、前記止め板の頂部端面には一つの下スライド溝が設置され、前記止め板溝の頂壁の中には一つの上スライド溝が設置され、前記止め板と前記止め板溝の頂壁との間にはスライドドアがスライドできるように取り付けられ、前記スライドドアの上下端面には対称のスライドブロックが設置され、前記スライドブロックが前記上スライド溝と前記下スライド溝とスライドできるように連結された。
【発明の効果】
【００１０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【図面の簡単な説明】
【００１１】
下記に図１〜９をあわせて本発明について詳しく説明し、本出願に記載された各方向は図１で本発明を見る方向と同じである。
【００１２】
【図１】図１は本発明の全体構成概略図
【図２】図２は本発明の前側構成概略図
【図３】図３は図１の中のＡ―Ａ方向の断面構成概略図
【図４】図４は図１の中のＢのところの拡大概略図
【図５】図５は図１の中のＣ―Ｃ方向の断面構成概略図
【図６】図６は図１の中のＤ―Ｄ方向の断面構成概略図
【図７】図７は図２の中のＥ―Ｅ方向の断面構成概略図
【図８】図８は図４の中のＦ―Ｆ方向の断面構成概略図
【図９】図９はバックルブロックの構成概略図
【発明を実施するための形態】
【００１３】
図１〜９を参照し、本発明の実施例のメインフレームは、正面視で、メインフレーム主体１０を含み、前記メインフレーム主体１０の中には前方に開口した内チャンバ１１が設置され、前記内チャンバ１１の中にはホストが置かれており、前記内チャンバ１１の後側壁には後方に開口した後出口１２が設置され、前記メインフレーム主体１０の左側側面には第一フィルター５０が取り付けられ、前記内チャンバ１１の底壁には下方に開口した底出口３４が設置され、前記メインフレーム主体１０の右側端面には第二フィルター２５が取り付けられ、前記底出口３４の中には上方に風を吹き付ける風吹付け部品９０１が設置され、前記底出口３４と前記メインフレーム主体１０との間には前記風吹付け部品９０１によって吹かれる風の温度を下げる温度下げ部品９０２が設置され、前記内チャンバ１１の右側壁には右方に開口した線接続穴２１が設置され、前記線接続穴２１のところにはホストと通電できるように連結されるデータ線を入れることができ、前記メインフレーム主体１０の右側端面にはデータ線を固定する固定部品９０３が設置され、前記メインフレーム主体１０の前端には前記内チャンバ１１を封鎖し、且つホストを始動することに便利を与える開閉ドア部品９０４が設置された。
【００１４】
前記風吹付け部品９０１は前記底出口３４の左右壁の間に位置している上下対称のコンロッド３６を含み、左右両側の前記コンロッド３６の間には回転台座４０が設置され、上下の前記回転台座４０の間にはファン軸４２が回転できるように取り付けられ、前記ファン軸４２には鎖歯車４４が設置され、前後両側の前記鎖歯車４４の間にはチェーン４５が取り付けられ、前記ファン軸４２には羽根４６が設置され、前側の前記ファン軸４２には第一ベベルギヤ４３が設置され、前記底出口３４の左側壁にはモーター３７が設置され、前記モーター３７の右側には主軸３９が連結され、上下の前記コンロッド３６の間には二つの軸安定ブロック３８が設置され、前記軸安定ブロック３８が前記主軸３９と回転できるように連結され、前記主軸３９の右端には第二ベベルギヤ４１が設置され、前記第二ベベルギヤ４１が前記第一ベベルギヤ４３と噛み合っており、前記底出口３４の内壁の間には第三フィルター３５が設置され、モーター３７を始動してファン軸４２と鎖歯車４４とを回転連動させ、鎖歯車４４がチェーン４５と後側のファン軸４２とを回転連動させ、ファン軸４２が羽根４６を回転連動させて風を吹き付け始める。
【００１５】
前記温度下げ部品９０２は前記底出口３４の内壁と前記メインフレーム１０との中に位置している発泡プラスチックブロック１８を含み、鉛直の前記発泡プラスチックブロック１８の中には貯水ブロック１５が設置され、前記貯水ブロック１５の左端の中には氷晶ブロック１４を置くことができ、前記発泡プラスチックブロック１８の左端にはカバー板１６がボルトによって取り付けられ、前記貯水ブロック１５の底端には水排出パイプ２０が連結され、前記水排出パイプ２０の右側が前記底出口３４の中に伸びており、且つパイプ網３３と連結され、前記パイプ網３３の右端には回流パイプ１９が連結され、前記回流パイプ１９が前記底出口３４を巻き付けた後に上方へ前記貯水ブロック１５と連結され、前記水排出パイプ２０にはポンプチャンバ１７が設置され、前記ポンプチャンバ１７の左右壁の間には主動輪４７が動力が伝達できるように取り付けられ、前記ポンプチャンバ１７の左右壁の間には従動輪４８が回転できるように取り付けられ、前記従動輪４８が前記主動輪４７と噛み合っており、凍結した氷晶ブロック１４を貯水ブロック１５の左端に置き、貯水ブロック１５の中の水は氷晶ブロック１４の温度を吸収した後に温度が下がり、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、低い温度の空気が風吹付け部品９０１に上方へ内チャンバ１１の中に吹き込まれ、水流が回流パイプ１９によって上方へ貯水ブロック１５の中に流れて戻る。
【００１６】
前記固定部品９０３は前記メインフレーム主体１０の右側端面に回転できるように取り付けられた回転ピン２２を含み、前記回転ピン２２の右側端面にはバックル２３が設置され、前記メインフレーム主体１０の右側端面にはバックルブロック５２がヒンジによって連結され、前記バックルブロック５２にはバックル溝５３が設置され、前記バックル溝５３が前記回転ピン２２と前記バックル２３と挿入されるように連結されることができ、ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１７】
前記開閉ドア部品９０４は前記メインフレーム主体１０の前側端面に位置しており、前記内チャンバ１１と連通した止め板溝５１を含み、前記止め板溝５１の底壁には止め板３２が回転できるように取り付けられ、前記止め板３２の頂部端面には一つの下スライド溝３１が設置され、前記止め板溝５１の頂壁の中には一つの上スライド溝２６が設置され、前記止め板３２と前記止め板溝５１の頂壁との間にはスライドドア３０がスライドできるように取り付けられ、前記スライドドア３０の上下端面には対称のスライドブロック２８が設置され、前記スライドブロック２８が前記上スライド溝２６と前記下スライド溝３１とスライドできるように連結され、右方へスライドドア３０を引き出し、手を内チャンバ１１の中に入れてホストのスイッチをオンにする。
【００１８】
ホストを接続する時にデータ線を線接続穴２１によって内チャンバ１１の中に伸ばし、線接続穴２１の外側にさらされたデータ線をバックル２３によって一束に収集し、回転ピン２２とバックル２３とにバックル溝５３を通過させた後、バックル２３を九十度回転させ、バックルブロック５２を引っ掛からせる。
【００１９】
使用の時、右方へスライドドア３０を引き出し、手を内チャンバ１１の中に入れてホストのスイッチをオンにし、凍結した氷晶ブロック１４を貯水ブロック１５の左端に置き、貯水ブロック１５の中の水は氷晶ブロック１４の温度を吸収した後に温度が下がり始め、カバー板１６を閉じ、主動輪４７を始動して従動輪４８を連動させて噛み合わせ始め、貯水ブロック１５の中の水は水排出パイプ２０によってパイプ網３３の中に輸送され、底出口３４の中の空気の温度を下げ、モーター３７を始動して主軸３９と第二ベベルギヤ４１とを回転連動させ、第二ベベルギヤ４１が噛み合いによって第一ベベルギヤ４３と、ファン軸４２と、鎖歯車４４とを回転連動させ、鎖歯車４４がチェーン４５と後側のファン軸４２とを回転連動させ、ファン軸４２が羽根４６を回転連動させて風を吹き付け始め、空気が第二フィルター２５によってろ過された後に上方へ内チャンバ１１の中に入り、低い温度の空気が風吹付け部品９０１に上方へ内チャンバ１１の中に吹き込まれ、ホストの放熱能力を強め、水流が回流パイプ１９によって上方へ貯水ブロック１５の中に流れて戻る。
【００２０】
本発明の有益な効果は：本発明は構成が簡単で、操作が便利であり、メインフレーム主体の中の温度下げ部品は氷晶ブロックの温度を利用して貯水ブロックの中の水の温度を下げることができ、また底出口の中のパイプ網によって底出口の中の空気の温度を下げることができ、ホストの下方の底出口の中に設置された風吹付け部品は底出口の中の低い温度の空気を内チャンバの中に吹き込むことができ、ホストが放熱する時に内チャンバの中の低い温度の空気を吸い込み、より効果的に温度を下げることができ、普及する価値がある。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。